【手続補正書】
【提出日】平成16年4月30日(2004.4.30)
【手続補正１】
【補正対象書類名】明細書
【補正対象項目名】特許請求の範囲
【補正方法】変更
【補正の内容】
【特許請求の範囲】
【請求項１】
無線通信システムにおいて、通信状態を変更するリクエストを判断する方法であって、
第１通信状態を表示する第１表示と第２通信状態に変更するリクエストを表示する第２表示とを有する少なくとも１つの信号を受信し、少なくとも第１タイム・スロットをモニターして前記第１表示を検出し、前記第２タイム・スロットをモニターして第２表示を検出し、前記第１および第２表示の少なくとも一方をカウントし、通信状態を変更するリクエストが前記カウントに基づいて、生成されたか否かを判断する、リクエスト判断方法。
【請求項２】
請求項１において、前記判断工程が、カウント検出された多数の第２表示の値を少なくとも２つの検出された第２表示のしきい値と比較することを含む、リクエスト判断方法。
【請求項３】
請求項２において、前記少なくとも１つの信号の中で第１表示または第２表示が非連続的に検出された場合にカウントがリセットされるリクエスト判断方法。
【請求項４】
請求項２において、少なくとも２つの検出された第２表示の前記しきい値が所定の時間期間内で得られない場合にカウントがリセットされる、リクエスト判断方法。
【請求項５】
請求項１において、前記モニタ工程が少なくとも第１および第２タイム・スロットに対して、独立したしきい値をそれぞれ適用して、第１および第２表示を検出することを含む、リクエスト判断方法。
【請求項６】
請求項１において、前記第１および第２タイム・スロットが相互に排他的である、リクエスト判断方法。
【請求項７】
請求項６において、通信状態を変更するリクエストは、検出された前記第１および第２表示の所定のしきい値よりも多い繰り返しを検出することにより生じ、通信状態を変更しないリクエストは、所定のしきい値よりも多い検出された前記第１および第２表示の両方よりも少ない表示の繰り返しを検出することにより生じる、リクエスト判断方法。
【請求項８】
請求項１において、さらに、通信状態を変更するリクエストが生成されていることの判断に応えて、現在の通信状態を変更することを含む、リクエスト判断方法。
【請求項９】
請求項１において、前記第１表示が第１パワー・レベルを有し、前記第２表示が第２パワー・レベルを有し、さらに、代替基準に従って前記第１および第２パワー・レベルに基づき前記第１および第２表示を検出する、リクエスト判断方法。
【請求項１０】
請求項９において、前記第１表示の検出が、前記第１エネルギ・レベルを第１パワー・レベルしきい値と比較し、前記第２表示の検出が、前記第２エネルギ・レベルを第２パワー・レベルと比較することを含む、リクエスト判断方法。
【請求項１１】
請求項１０において、前記少なくとも１つの信号が単一の信号チャンネルで受信され、少なくとも各1つの前記第１および第２タイム・スロットが前記単一の信号チャンネル内で積分され、かつ第１および第２パワー・レベルがタイム・スロットの占有状態に依存する、リクエスト判断方法。
【請求項１２】
請求項１０において、前記代替基準が、
前記第１パワー・レベルが第１パワー・レベルしきい値を超えること、
前記第２エネルギ・レベルが第２パワー・レベルしきい値を超えること、
前記第２表示が第２タイム・スロットを占有すること、
前記第１および第２表示が相互に排他的なコード・チャネルにおける第１および第２タイム・スロットを占有すること、および、前記第１および第２表示が相互に排他的な第１および第２タイム・スロットを占有すること、の内の少なくとも１つを含む、リクエスト判断方法。
【請求項１３】
請求項１２において、少なくとも１つの代替基準に従って第１および第２パワー・レベルのそれぞれにのみ基づき、第１および第２表示をカウントする、リクエスト判断方法。
【請求項１４】
請求項１３において、さらに、検出の目標確率に基づき、前記第２パワー・レベルを調節する、リクエスト判断方法。
【請求項１５】
請求項１３において、さらに、誤り検出の目標確率に基づき、前記第２パワー・レベルを調節する、リクエスト判断方法。
【請求項１６】
請求項１において、前記第１通信状態がスタンバイ状態であり、前記第２通信状態がペイロード状態である、リクエスト判断方法。
【請求項１７】
請求項１において、前記第１および第２通信状態がデータ通信状態である、リクエスト判断方法。
【請求項１８】
請求項１において、前記通信システムが、符号分割多重アクセス（ＣＤＭＡ）または直交周波数分割多重（ＯＦＤＭ）無線通信システムを含む、リクエスト判断方法。
【請求項１９】
通信システムにおいて、通信状態を変更するリクエストを判断する装置であって、
（i）第１通信状態を表示する第１表示、および（ii）第２通信状態に変更するリクエ
ストを表示する第２表示を有する少なくとも１つの信号を受信する受信機と、
前記第１表示を検出する少なくとも1つの第１タイム・スロット、および前記第２表示を検出する少なくとも１つの第２タイム・スロットをモニターする少なくとも１つのモニターと、前記少なくとも1つのモニタに接続されて前記検出された第１または第２表示の少なくとも１つをカウントするカウンタと、前記カウンタに接続されて通信状態を変更するリクエストが生成されているか否かをカウントによって判断する論理ユニットとを備えたリクエスト判断装置。
【請求項２０】
請求項１９において、前記論理ユニットが、カウントされた検出された多数の第２表示を少なくとも２つの検出された第２表示のしきい値と比較する、リクエスト判断装置。
【請求項２１】
請求項２０において、第１表示の非連続的な検出または、第２表示の非連続的な検出された場合、前記カウンタがリセットされるリクエスト判断装置。
【請求項２２】
請求項２０において、少なくとも２つの検出された第２表示の前記しきい値が所定の時間期間内で得られない場合に、前記カウンタがリセットされる、リクエスト判断装置。
【請求項２３】
請求項１９において、前記少なくとも1つのモニターが第１および第２表示を検出するための少なくとも各1つの第１および第２タイム・スロットに独立したしきい値を適用する、リクエスト判断装置。
【請求項２４】
請求項１９において、前記第１および第２タイム・スロットが相互に排他的である、リクエスト判断装置。
【請求項２５】
請求項２４において、前記論理ユニットは、しきい値を越える第１および第２表示の繰り返し検出によって通信状態を変更するリクエストがなされたと判断し、前記しきい値を越えた第１および第２表示よりも少ない繰り返しの検出によって、通信状態を変更しないリクエストがなされたと判断する、リクエスト判断装置。
【請求項２６】
請求項１９において、さらに、前記論理ユニットに接続されて通信状態を変更するリクエストが生成されたとの判断に応えて現在の通信状態を変更する状態制御ユニットを備えた、リクエスト判断装置。
【請求項２７】
請求項１９において、前記第１表示が第１パワー・レベルを有し、前記第２表示が第２パワー・レベルを有し、前記少なくとも１つのモニタが代替基準に従って前記第１および第２パワー・レベルに基づき前記第１および第２表示をそれぞれ検出するリクエスト判断装置。
【請求項２８】
請求項２７において、前記第１表示の検出が、前記第１エネルギ・レベルを第１パワー・レベルしきい値と比較することを含み、前記第２表示の検出が、前記第２のエネルギ・レベルを第２パワー・レベルしきい値と比較することを含む、リクエスト判断装置。
【請求項２９】
請求項２７において、前記少なくとも１つの信号が単一のチャンネルで受信され、少なくとも1つの第１および第２タイムスロットが単一のチャネル内で積分され、かつ、前記第１および第２パワー・レベルがそれぞれ第１および第２タイム・スロットの占有状態に依存する、リクエスト判断装置。
【請求項３０】
請求項２７において、前記代替基準が、
前記第１パワー・レベルが第１パワー・レベルしきい値を超えること、
前記第２エネルギ・レベルが第２パワー・レベルしきい値を超えること、
前記第２表示が第２タイム・スロットを占有すること、
前記第１および第２表示が相互に排他的なコード・チャネルにおける第１および第２タイム・スロットを占有すること、および、前記第１および第２表示が相互に排他的な第１および第２タイム・スロットを占有すること、の内の少なくとも１つを含む、リクエスト判断装置。
【請求項３１】
請求項２７において、前記第１および第２表示をカウントするカウンタが、少なくとも1つの代替基準に従って各第１および第２パワー・レベルのみに基づいてカウントする、リクエスト判断装置。
【請求項３２】
請求項３１において、前記信号の前記第２パワー・レベルは検出の目標確率に基づき、調節される、リクエスト判断装置。
【請求項３３】
請求項３１において、前記信号の前記第２パワー・レベルは誤り検出の目標確率に基づき調節される、リクエスト判断装置。
【請求項３４】
請求項１９おいて、前記第１通信状態がスタンバイ状態であり、前記第２通信状態がペイロード状態である、リクエスト判断装置。
【請求項３５】
請求項１９において、前記第１および第２通信状態がデータ通信状態である、リクエスト判断装置。
【請求項３６】
請求項１９おいて、前記通信システムが、符号分割多重アクセス（ＣＤＭＡ）または直交周波数分割多重（ＯＦＤＭ）無線通信システムである、リクエスト判断装置。
【請求項３７】
通信システムにおいて、通信状態を変更するリクエストを生成する方法であって、
データ通信状態に関連した表示を、その表示のパワー・レベルに基づいて選択し、選択された表示の少なくとも１つを受信システムに送信して、この受信システムにより、前記少なくとも１つの選択された表示をカウントさせて、通信状態を変更するリクエストが生成されたか否かを判断させる、リクエスト生成方法。
【請求項３８】
請求項３７において、伝送される前記少なくとも１つの表示が選択された複数の表示を含み、選択された複数の表示が、前記受信システムによって連続する表示としてカウントされることを予測して、連続的に伝送される、リクエスト生成方法。
【請求項３９】
請求項３７において、伝送される少なくとも１つの選択された表示が、選択された複数の表示を含み、選択された複数の表示が所定の時間期間内に伝送される、リクエスト生成方法。
【請求項４０】
請求項３７において、伝送される前記少なくとも1つの選択された表示が、選択された複数の表示を含み、前記信号の伝送が複数の表示を信号チャネル内のタイム・スロットに多重化することを含む、リクエスト生成方法。
【請求項４１】
請求項３７において、伝送される前記少なくとも１つの選択された表示を含み、選択された信号の伝送が、
（１）相互に排他的なコード・チャネル内での伝送、
（２）相互に排他的なタイム・スロット内での伝送、
（３）使われていないタイム・スロット内での伝送、
（４）それぞれのパワー・レベルでの伝送、
（５）所定の繰り返しレートでの伝送、または、
（６）符号化されていない搬送信号としての伝送、
の内の少なくとも１つの態様で実行される、リクエスト生成方法。
【請求項４２】
請求項３７おいて、前記通信状態がスタンバイ状態およびペイロード状態の少なくとも一方を含む、リクエスト生成方法。
【請求項４３】
請求項３７において、前記通信状態がデータ通信状態である、リクエスト生成方法。
【請求項４４】
請求項３７において、前記パワー・レベルのそれぞれが検出の目標確率に基づいている、リクエスト生成方法。
【請求項４５】
請求項３７において、前記パワー・レベルのそれぞれが誤り検出の目標確率に基づいている、リクエスト生成方法。
【請求項４６】
請求項３７において、前記通信システムが、符号分割多重アクセス（ＣＤＭＡ）または直交周波数分割多重（ＯＦＤＭ）無線通信システムを含む、リクエスト生成方法。
【請求項４７】
通信システムにおいて通信状態を変更するリクエストを生成する装置であって、  
データ通信状態に関連付けられた表示を、その表示の各パワー・レベルに基づいて選択する選択器と、
前記選択器に接続されて、前記選択された表示の少なくとも１つを含む信号を受信システムに伝送して、この受信システムにより前記少なくとも１つの選択された表示をカウントさせて、通信状態を変更するリクエストが生成されたか否かを判断させる送信機と、
を備えたリクエスト生成装置。
【請求項４８】
請求項４７において、前記選択器が複数の前記表示を選択し、前記選択された複数の表示が、前記受信システムによって連続する複数の表示としてカウントされることを予測して、連続的に伝送される、リクエスト生成装置。
【請求項４９】
請求項４７において、前記選択器が複数の表示を選択し、前記選択された複数の表示が所定の時間期間内に伝送される、リクエスト生成装置。
【請求項５０】
請求項４７おいて、伝送される前記少なくとも1つの選択された表示が複数の表示を含み、さらに、前記選択器および送信機に接続されて前記表示を信号伝送チャネルのタイム・スロットに多重化するマルチプレクサを備えた、リクエスト生成装置。
【請求項５１】
請求項４７において、前記伝送される選択された表示が選択された複数の表示
を含み、伝送される前記少なくとも１つの選択された表示を含み、選択された信号の伝送が、
（１）相互に排他的なコード・チャネル内での伝送、
（２）相互に排他的なタイム・スロット内での伝送、
（３）使われていないタイム・スロット内での伝送、
（４）それぞれのパワー・レベルでの伝送、
（５）所定の繰り返しレートでの伝送、または、
（６）符号化されていない搬送信号としての伝送、
の内の少なくとも１つの態様で実行される、リクエスト生成方法。
【請求項５２】
請求項４７おいて、前記通信状態がスタンバイ状態およびペイロード状態の少なくとも一方を含む、リクエスト生成装置。
【請求項５３】
請求項４７において、前記通信状態がデータ通信状態である、リクエスト生成装置。
【請求項５４】
請求項４７において、前記選択器は、検出の目標確率に基づいて前記表示を選択する、リクエスト生成装置。
【請求項５５】
請求項４７において、前記選択器が、誤り検出の目標確率に基づいて前記表示に選択する、リクエスト生成装置。
【請求項５６】
請求項４７において、前記通信システムが、符号分割多重アクセス（ＣＤＭＡ）または直交周波数分割多重（ＯＦＤＭ）無線通信システムである、リクエスト生成装置。
【手続補正２】
【補正対象書類名】明細書
【補正対象項目名】００２１
【補正方法】変更
【補正の内容】
【００２１】
例えば、P（ｆｄ）＝0.01であり、また 「有効検出」が判断される前に続けて３回の検出が指定された場合、全体Ｐ（ｆｄ）＝（0.01）3すなわち0.000001となる。これは、とにかく確率が極めて高いため、検出のコストが安くなる。例えば、単一の検出確率が0.9である場合、必要な３回検出は検出確率を0.93すなわち0.72に低下し、わずかな縮小のみである。この技術はレーダー装置で公知であるが、ＨＢおよびＨＢ／ＲＱＳＴ信号を検出する本アプリケーションならびに他の通信システムおよびアプリケーションにおいてこの技術を利用していない。ＨＢおよびＨＢ／ＲＱＳＴ信号は、本発明の教示が適用される信号の例であり、いずれにせよこれに限定されないものであることは理解されるべきである。
【手続補正３】
【補正対象書類名】明細書
【補正対象項目名】００３４
【補正方法】変更
【補正の内容】
【００３４】
図示する例では、ユーザ１，２，４，５，６，…，Ｎは、ハートビート・チャネル５５Ｈ内の信号１８０(第１信号)の存在によって示されているように、アイドル状態に留まることを要求している。しかし、ユーザ３は、第１時間区間１７７ａにおけるリクエスト・チャネル５５Ｒ内の信号１８５ａ、第２時間区間１７７ｂにおけるリクエスト・チャネル５５Ｒ内の信号１８５ｂ（第２信号）、および場合により追加時間区間における信号に基づき、逆方向リンクを介してデータを伝送することを要求している。第３時間区間１７７ｃにおいて、ＢＴＳ２５は２つの連続する表示１８５ａ(第１表示)および１８５ｂ（第２表示）に基づきデータ伝送のリクエストをすでに検出している。受取り通知の受信に続いて、ユーザ３はコードＣ５を使用して対応するトラフィック・チャネルでトラフィック・データ１９０の伝送を開始する。別の実施形態では、ＢＴＳ２５は、リクエストが生成されていることを判断して受取り通知を送信する前に、３つの連続する表示１８５ａ〜１８５ｃを要求できる。